(57)【要約】【課題】気泡を生じることなく、短時間かつ容易に試料溶液をウェル又は流路の内部に導入可能なマイクロチップの提供。【解決手段】内部が大気圧に対して負圧とされ、液体が穿刺注入される導入部と、内部が大気圧に対して負圧とされ、前記液体を導入部内に穿刺注入するためのニードルを穿刺して管空内を脱気するための脱気領域と、が独立して設けられているマイクロチップを提供する。このマイクロチップでは、ニードルを脱気領域に穿刺した後に導入部に穿刺するようにすることで、ニードルの管空内の空気が除去された状態で導入部への液体注入を行うことができる。【選択図】図３
2013130396.tif 000002
【特許請求の範囲】
【請求項１】
内部が大気圧に対して負圧とされ、液体が穿刺注入される導入領域と、
内部が大気圧に対して負圧とされ、前記液体を前記導入領域内に穿刺注入するための中空管を穿刺して管空内を脱気するための脱気領域と、が独立して設けられているマイクロチップ。
【請求項２】
前記導入領域と前記脱気領域は、脱気領域に穿刺された前記中空管が脱気領域を挿通してさらに導入領域に穿刺されるように配置されている請求項１記載のマイクロチップ。
【請求項３】
前記脱気領域は、弾性変形による自己封止性を備える基板層を含んで構成された請求項２記載のマイクロチップ。
【請求項４】
前記脱気領域は、前記導入領域を構成する弾性変形による自己封止性を備える基板層と、該基板層に積層されたガス不透過性を備える基板層と、を含んで構成された請求項３記載のマイクロチップ。
【請求項５】
前記脱気領域は、弾性変形による自己封止性を備える部材により構成され、
該部材が、マイクロチップを形成する基板層表面に配置され、あるいは基板層に埋設されている請求項２記載のマイクロチップ。
【請求項６】
前記部材は、前記導入領域を構成する弾性変形による自己封止性を備えた基板層に積層されたガス不透過性を備える基板層に埋設されている請求項５記載のマイクロチップ。
【請求項７】
内部が大気圧に対して負圧とされた領域が、液体が穿刺注入される導入領域とは別個独立に少なくとも一領域設けられているマイクロチップ。
【発明の詳細な説明】
【技術分野】
【０００１】
本技術は、マイクロチップに関する。より詳しくは、マイクロチップに配設された領域内に溶液を導入し、該溶液に含まれる物質あるいは該物質の反応生成物の分析を行うためのマイクロチップに関する。
【背景技術】
【０００２】
近年、半導体産業における微細加工技術を応用し、シリコン製やガラス製の基板に化学的あるいは生物学的な分析を行うためのウェル又は流路を設けたマイクロチップが開発されてきている。マイクロチップは、少量の試料で分析が可能で、ディスポーザブルユーズ（使い捨て）が可能であるため、貴重な微量試料や多数の検体を扱う生物学的分析に特に利用されている。
【０００３】
利用例の一つとして、マイクロチップに配設された複数の領域内に物質を導入し、該物質あるいはその反応生成物を光学的に検出する光学検出装置がある。このような光学検出装置としては、マイクロチップの流路内で複数の物質を電気泳動により分離し、分離された各物質を光学的に検出する電気泳動装置や、マイクロチップのウェル内で複数の物質間の反応を進行させ、生成する物質を光学的に検出する反応装置（例えば、核酸増幅装置）などがある。
【０００４】
マイクロチップを用いた分析では、試料が微量であるがゆえに、ウェル又は流路への試料溶液の導入が難しく、ウェル等の内部に存在する空気によって試料溶液の導入が阻害されたり、導入に時間がかかったりする場合があった。また、試料溶液の導入の際に、ウェル等の内部に気泡が生じ、各ウェル等に導入される試料溶液の量がばらつき、分析の精度が低下するという問題があった。また、試料の加熱を伴う分析では、ウェル等の内部に残存した気泡が膨脹し、試料溶液を移動させたり、反応を阻害したりすることがあり、分析の精度及び効率を低下させる要因となっていた。
【０００５】
マイクロチップにおける試料溶液の導入を容易にするため、特許文献１には、「溶液が導入される領域が、内部を大気圧に対して負圧とされて配設されたマイクロチップ。」が開示されている。このマイクロチップでは、内部が負圧とされた領域内にニードルを用いて試料溶液を注入し、陰圧によって吸引させるようにすることで、試料溶液を短時間かつ容易に導入できる。
【先行技術文献】
【特許文献】
【０００６】
【特許文献１】特開２０１１−１６３９８４号公報
【発明の概要】
【発明が解決しようとする課題】
【０００７】
上記のように、従来のマイクロチップでは、試料溶液の導入の際にウェル又は流路の内部に気泡が生じ、分析の精度又は効率を低下させる問題があった。そこで、本技術は、気泡を生じることなく、短時間かつ容易に試料溶液をウェル又は流路に導入可能なマイクロチップを提供することを主な目的とする。
【課題を解決するための手段】
【０００８】
上記課題解決のため、本技術は、内部が大気圧に対して負圧とされ、液体が穿刺注入される導入領域と、内部が大気圧に対して負圧とされ、前記液体を前記導入領域内に穿刺注入するための中空管を穿刺して管空内を脱気するための脱気領域と、が独立して設けられているマイクロチップを提供する。
このマイクロチップでは、中空管を脱気領域に穿刺した後に導入領域に穿刺するようにすることで、中空管の管空内の空気が除去された状態で導入領域への液体注入を行うことができる。
このマイクロチップでは、前記導入領域と前記脱気領域は、脱気領域に穿刺された前記中空管が脱気領域を挿通してさらに導入領域に穿刺されるように配置されていることが好ましい。
【発明の効果】
【０００９】
本技術により、気泡を生じることなく、短時間かつ容易に試料溶液をウェル又は流路の内部に導入可能なマイクロチップが提供される。
【図面の簡単な説明】
【００１０】
【図１】本技術の第一実施形態に係るマイクロチップ１ａの構成を説明するための上面模式図である。
【図２】マイクロチップ１ａの構成を説明するための断面模式図である。
【図３】マイクロチップ１ａへのサンプル溶液の導入方法を説明するための模式図である。
【図４】本技術の第一実施形態の変形例に係るマイクロチップ１ｂの構成を説明するための模式図である。
【図５】本技術の第二実施形態に係るマイクロチップ１ｃの構成を説明するための模式図である。
【図６】マイクロチップ１ｃへのサンプル溶液の導入方法を説明するための模式図である。
【図７】本技術の第三実施形態に係るマイクロチップ１ｄの構成を説明するための模式図である。
【図８】本技術の第四実施形態に係るマイクロチップ１ｅの構成を説明するための模式図である。
【発明を実施するための形態】
【００１１】
以下、本技術を実施するための好適な形態について図面を参照しながら説明する。なお、以下に説明する実施形態は、本技術の代表的な実施形態の一例を示したものであり、これにより本発明の範囲が狭く解釈されることはない。説明は以下の順序により行う。
１．第一実施形態に係るマイクロチップ
（１）マイクロチップ１ａの構成
（２）マイクロチップ１ａへのサンプル液の導入
２．第二実施形態に係るマイクロチップ
（１）マイクロチップ１ｃの構成
（２）マイクロチップ１ｃへのサンプル液の導入
３．第三実施形態に係るマイクロチップ
（１）マイクロチップ１ｄの構成
（２）マイクロチップ１ｄへのサンプル液の導入
４．第四実施形態に係るマイクロチップ
（１）マイクロチップ１ｅの構成
（２）マイクロチップ１ｅへのサンプル液の導入
【００１２】
１．第一実施形態に係るマイクロチップ
（１）マイクロチップ１ａの構成
図１及び図２は、本技術の第一実施形態に係るマイクロチップの構成を説明する模式図である。図１は上面模式図であり、図２は図１中Ｐ−Ｐ断面に対応する断面模式図である。
【００１３】
図中符号１ａで示すマイクロチップは、試料溶液（サンプル液）が導入される領域（導入領域）として、導入部２、流路３１〜３５及びウェル４１〜４５が設けられている。導入部２は、外部からサンプル液が注入される領域であり、ウェル４１〜４５はサンプル液に含まれる物質あるいは該物質の反応生成物の分析場となる領域である。流路３１〜３５は、一端において導入部２に連通する主流路と、この主流路から分岐してウェル４１〜４５に分岐する分岐流路とからなり、導入部２に注入されたサンプル液をウェル４１〜４５に送液する。ここでは、流路３１によりサンプル液の供給を受ける５つのウェルを全てウェル４１とし、同様に流路３２，３３，３４，３５によりサンプル液の供給を受ける各５つのウェルをそれぞれウェル４２，４３，４４，４５として説明する。
【００１４】
また、マイクロチップ１ａには、導入部２、流路３１〜３５及びウェル４１〜４５とは別個独立の領域として、脱気領域５が設けられている。脱気領域５は、サンプル液の注入のため導入部２に穿刺される中空管（ニードル）の管空内を脱気するための領域である。
【００１５】
マイクロチップ１ａは、導入部２、流路３１〜３５、ウェル４１〜４５及び脱気領域５を形成した基板層１２に基板層１１を貼り合わせ、さらに基板層１１に基板層１３を貼り合わせることにより構成されている。マイクロチップ１ａでは、基板層１１と基板層１２との貼り合わせを大気圧に対して負圧下で行うことにより、導入部２、流路３１〜３５、ウェル４１〜４５及び脱気領域５の内部が大気圧に対して負圧（例えば１／１００気圧）となるように気密に封止されている。さらに、基板層１１と基板層１２の貼り合わせは真空下で行い、導入部２等の内部が真空となるように気密に封止することが好ましい。
【００１６】
基板層１１，１２，１３の材料は、ガラスや各種プラスチック類とできる。好ましくは、基板層１１を弾性を有する材料とし、基板層１２，１３をガス不透過性を備える材料とする。
【００１７】
弾性を有する材料としては、ポリジメチルシロキサン（ＰＤＭＳ）等のシリコーン系エラストマーの他、アクリル系エラストマー、ウレタン系エラストマー、フッ素系エラストマー、スチレン系エラストマー、エポキシ系エラストマー、天然ゴムなどを採用できる。これらの材料のうち、特に弾性に加えてガス透過性を有する材料（例えばＰＤＭＳ）を用いて基板層１１を形成した場合には、基板層１１と基板層１２との貼り合わせは大気圧（常圧）下で行ってもよい。貼り合わせの後、基板層１１，１２を負圧（真空）下に静置すれば、導入部２等内の空気が基板層１１を透過して排出されるため、導入部２等の内部を大気圧に対して負圧（真空）にできる。
【００１８】
また、ガス不透過性を備える材料としては、ガラスやプラスチック類、金属類、セラミック類などを採用できる。プラスチック類としては、ＰＭＭＡ（ポリメチルメタアクリレート：アクリル樹脂）、ＰＣ（ポリカーボネート）、ＰＳ（ポリスチレン）、ＰＰ（ポリプロピレン）、ＰＥ（ポリエチレン）、ＰＥＴ（ポリエチレンテレフタレート）、ジエチレングリコールビスアリルカーボネート、ＳＡＮ樹脂（スチレン−アクリロニトリル共重合体）、ＭＳ樹脂（ＭＭＡ−スチレン共重合体）、ＴＰＸ（ポリ（４−メチルペンテン−１））、ポリオレフィン、ＳｉＭＡ（シロキサニルメタクリレートモノマー）−ＭＭＡ共重合体、ＳｉＭＡ−フッ素含有モノマー共重合体、シリコーンマクロマー（Ａ）−ＨＦＢｕＭＡ（ヘプタフルオロブチルメタクリレート）−ＭＭＡ３元共重合体、ジ置換ポリアセチレン系ポリマー等が挙げられる。金属類としては、アルミニウム、銅、ステンレス（ＳＵＳ）、ケイ素、チタン、タングステン等が挙げられる。セラミック類としては、アルミナ（Ａｌ２Ｏ３）、窒化アルミ（ＡｌＮ）、炭化ケイ素（ＳｉＣ）、酸化チタン（ＴｉＯ２）、酸化ジルコニア（ＺｒＯ２）、石英等が挙げられる。
【００１９】
基板層１１をＰＤＭＳなどの弾性を有する材料により形成することで、マイクロチップ１ａに次に説明する「自己封止性」を付与することができる。また、基板層１２，１３をガス不透過性を備える材料により形成することで、ウェル４１〜４５内に導入されたサンプル液が加熱によって気化し、基板層１１を透過して消失（液抜け）するのを防止できる。
【００２０】
ウェル４１〜４５内に導入された物質の分析を光学的に行う場合には、基板層１１，１２，１３の材料は、光透過性を有し、自家蛍光が少なく、波長分散が小さいために光学誤差の少ない材料を選択することが好ましい。
【００２１】
基板層１２への導入部２、流路３１〜３５、ウェル４１〜４５及び脱気領域５の成形は、例えば、ガラス製基板層のウェットエッチング又はドライエッチングによって、あるいはプラスチック製基板層のナノインプリント、射出成型又は切削加工によって行うことができる。導入部２等は、基板層１１に成形されてもよく、あるいは基板層１１に一部を基板層１２に残りの部分を成形されてもよい。基板層１１，１２，１３の貼り合わせは、例えば、熱融着、接着剤、陽極接合、粘着シートを用いた接合、プラズマ活性化結合及び超音波接合等の公知の手法により行うことができる。
【００２２】
（２）マイクロチップ１ａへのサンプル液の導入
次に、図３も参照して、マイクロチップ１ａへのサンプル液の導入方法を説明する。図３は、マイクロチップ１ａの断面模式図であり、図１中Ｐ−Ｐ断面に対応する。
【００２３】
［注入手順］
マイクロチップ１ａへのサンプル溶液の導入は、図３（Ｂ）に示すように、中空管（以下、「ニードルＮ」と称する）を用いてサンプル液を導入部２に穿刺注入することによって行う。基板層１３の導入部２に対応する位置にはニードルＮを挿過させるための開口が設けられており、ニードルＮはこの開口から基板層１１の表面に穿刺される。ニードルＮは、先端が基板層１１を貫通し、導入部２に到達するまで穿刺される。
【００２４】
マイクロチップ１ａでは、導入部２、流路３１〜３５、ウェル４１〜４５の内部が大気圧に対して負圧とされているため、ニードルＮの先端が導入部２に達すると、ニードルＮの他端に接続されたサンプル液保持容器内のサンプル液が陰圧によって吸引され、ニードルＮの管空を通って導入部２に導入される。導入部２に導入されたサンプル液は、陰圧によってさらに流路３１〜３５及びウェル４１〜４５に送液される。
【００２５】
このとき、導入部２に穿刺されたニードルＮの管空内に空気が存在していると、この空気も導入部２に吸引され、流路３１〜３５又はウェル４１〜４５の内部で気泡となってしまう場合がある。これを防止するため、マイクロチップ１ａにおけるサンプル液導入では、導入部２にニードルＮを穿刺してサンプル液の注入を行う注入手順の前に、ニードルＮを脱気領域５に穿刺して管空内の空気を除去する脱気手順を行う（図３（Ａ）参照）。
【００２６】
［脱気手順］
すなわち、サンプル液注入に先立って、まず、ニードルＮを、基板層１３の脱気領域５に対応する位置に設けられた開口を挿過させて基板層１１の表面に穿刺し、ニードルＮの先端を基板層１１を貫通させて脱気領域５に到達させる。脱気領域５の内部も大気圧に対して負圧とされているため、ニードルＮの先端が脱気領域５に達すると、管空内の空気が陰圧によって吸引され、サンプル液とともにニードルＮの先端から排出される。その結果、ニードルＮの管空内が脱気される。
【００２７】
ニードルＮの管空内の空気を完全に吸引するため、脱気領域５の容積は、ニードルＮの管空内の容積よりも大きくすることが望ましい。
【００２８】
管空内を脱気した後、ニードルＮを脱気領域５から引き抜く。このとき、基板層１１をＰＤＭＳなどの弾性を有する材料により形成しておくことで、ニードルＮの抜去後に、基板層１１の弾性変形による復元力で穿刺箇所が自然に封止されるようにできる。本技術においては、基板層の弾性変形によるニードル穿刺箇所の自然封止を、基板層の「自己封止性」と定義するものとする。
【００２９】
脱気領域５の容積がニードルＮの管空内の容積よりも大きい場合、その容積差分に相応する体積のサンプル液が脱気領域５に吸引されるが、この自己封止性によって脱気領域５に排出されたサンプル液がマイクロチップの外部に漏れ出ることを防止できる。サンプル液がマイクロチップの外部に漏れ出ると、サンプルの混入（コンタミネーション）や汚染の原因となる。
【００３０】
ニードルＮを脱気領域５から引き抜いた後、上述した手順に従って、脱気後のニードルＮを導入部２に穿刺して注入手順を行うことにより、流路３１〜３５又はウェル４１〜４５の内部に気泡を生じることなくサンプル液を導入できる。
【００３１】
サンプル液の導入後、ニードルＮを導入部２から引き抜く。このときも、基板層１１をＰＤＭＳなどの弾性を有する材料により形成しておくことで、ニードルＮの抜去後に、基板層１１の弾性変形による復元力で穿刺箇所が自然に封止されるようにできる。
【００３２】
基板１１の弾性変形による自己封止を確実とするため、ニードルＮには、サンプル液の注入が可能であることを条件に、径の細いものを使用することが望ましい。具体的には、インスリン用注射針として用いられる、先端外径が０．２ｍｍ程度の無痛針が好適に使用される。無痛針の基部に接続されるサンプル液保持容器には、汎用のマイクロピペット用チップの先端部を切断したもの用いることができる。これの構成によれば、チップ先端部にサンプル液を充填し、無痛針を導入部２に穿刺することで、マイクロチップ１ａ内の陰圧によって無痛針に接続されたチップ先端部内のサンプル液が導入部２に吸引されるようにできる。
【００３３】
ニードルＮとして、先端外径０．２ｍｍの無痛針を用いる場合、例えばＰＤＭＳにより形成された基板層１１の厚みは０．５ｍｍ以上、加熱が行われる場合には０．７ｍｍ以上とされることが好適である。
【００３４】
以上のように、本実施形態に係るマイクロチップ１ａでは、脱気手順においてニードルＮを脱気領域５に穿刺して管空内の空気を除去した後、注入手順においてニードルＮを導入部２に穿刺することで、流路３１〜３５又はウェル４１〜４５の内部に気泡を生じることなくサンプル液の導入を行うことができる。
【００３５】
本実施形態では、ガス不透過性を備える基板層１２に導入部２、流路３１〜３５、ウェル４１〜４５及び脱気領域５を形成し、自己封止性を備える基板層１１を貼り合わせ、さらにガス不透過性を備える基板層１３を積層した３層構造としたマイクロチップ１ａについて説明した。基板層１３は、導入部２、流路３１〜３５、ウェル４１〜４５及び脱気領域５の減圧状態を維持するため、またウェル４１〜４５内に導入されたサンプル液の液抜けを防止するために基板層１１に貼り合わされることが好ましい。ただし、基板層１３は、本技術に係るマイクロチップにおいて必須の構成となるものではなく、本技術に係るマイクロチップは図４に示すマイクロチップ１ｂのように、基板層１１，１２からなる２層構造としてもよい。
【００３６】
２．第二実施形態に係るマイクロチップ
（１）マイクロチップ１ｃの構成
図５は、本技術の第二実施形態に係るマイクロチップの構成を説明する断面模式図である。図中符号１ｃで示すマイクロチップは、第一実施形態に係るマイクロチップ１ａと導入部２、流路３１〜３５、ウェル４１〜４５、基板層１１，１２の構成において同様である。マイクロチップ１ｃは、脱気領域５を埋込部材５１の内空に構成し、基板層１３に埋設している点で、脱気領域５を基板層１１と基板層１２との貼り合わせによって構成したマイクロチップ１ａと異なっている。
【００３７】
マイクロチップ１ｃにおいて、脱気領域５は、導入部２、流路３１〜３５及びウェル４１〜４５とは別個独立の領域として、埋込部材５１の内空に構成されている。埋込部材５１は、自己封止性を備える部材により構成され、具体的には基板層１１と同様にＰＤＭＳなどの弾性を有する材料によって形成される。なお、基板層１１，１２，１３の材料は、マイクロチップ１ａにおいて同一の符号を付した基板層と同じである。
【００３８】
マイクロチップ１ｃは、導入部２、流路３１〜３５及びウェル４１〜４５を形成した基板層１２に基板層１１を貼り合わせ、さらに基板層１１に貼り合わされた基板層１３に埋込部材５１を埋設することにより構成されている。マイクロチップ１ｃも、マイクロチップ１ａと同様に、基板層１１と基板層１２との貼り合わせを大気圧に対して負圧下で行うことにより、導入部２、流路３１〜３５、ウェル４１〜４５の内部が大気圧に対して負圧（好ましくは真空）となるように気密に封止されている。埋込部材５１についても、同様に負圧下で部材の形成を行うことにより、内部を大気圧に対して負圧とできる。導入部２等及び埋込部材５１の内部は、基板層１１及び埋込部材５１をＰＤＭＳ等の弾性に加えてガス透過性を有する材料により形成した場合には、大気圧（常圧）下で基板層の貼り合わせ及び部材の形成を行った後負圧（真空）下に静置することによって減圧してもよい。
【００３９】
（２）マイクロチップ１ｃへのサンプル液の導入
次に、図６も参照して、マイクロチップ１ｃへのサンプル液の導入方法を説明する。
【００４０】
［脱気手順］
マイクロチップ１ｃへのサンプル溶液の導入では、まず、図６（Ａ）に示すように、ニードルＮを基板層１３の導入部２に対応する位置に埋設された埋込部材５１に穿刺し、ニードルＮの先端を埋込部材５１の内空として構成された脱気領域５に到達させる。脱気領域５は大気圧に対して負圧とされているため、ニードルＮの先端が脱気領域５に達すると、管空内の空気が陰圧によって吸引され、ニードルＮの他端に接続されたサンプル液保持容器から吸引されてくるサンプル液とともにニードルＮの先端から排出される。これにより、ニードルＮの管空内が脱気される。
【００４１】
［注入手順］
管空内を脱気した後、ニードルＮを、埋込部材５１を貫通させて基板層１１に穿刺し、先端が基板層１１を貫通して導入部２に到達するまで刺し込む。
【００４２】
マイクロチップ１ｃでは、導入部２、流路３１〜３５、ウェル４１〜４５の内部が大気圧に対して負圧とされているため、ニードルＮの先端が導入部２に達すると、サンプル液保持容器からサンプル液が陰圧によって吸引され、導入部２に導入される。導入部２に導入されたサンプル液は、陰圧によってさらに流路３１〜３５及びウェル４１〜４５に送液される。
【００４３】
サンプル液の導入後、ニードルＮを導入部２及び埋込部材５１から引き抜く。このとき、基板層１１及び埋込部材５１をＰＤＭＳなどの弾性を有する材料により形成しておくことで、ニードルＮの抜去後に、基板層１１及び埋込部材５１の弾性変形による復元力で穿刺箇所が自然に封止されるようにできる。埋込部材５１は、ニードルＮが貫通する面をＰＤＭＳなどの弾性材料によって形成し、ニードルＮが貫通しない面を他の材料（例えば、強度に優れた材料）によって形成したものとしてもよい。
【００４４】
以上のように、本実施形態に係るマイクロチップ１ｃでは、脱気手順においてニードルＮを脱気領域５に穿刺して管空内の空気を除去した後、注入手順においてニードルＮを導入部２に穿刺することで、流路３１〜３５又はウェル４１〜４５の内部に気泡を生じることなくサンプル液の導入を行うことができる。
【００４５】
本実施形態では、ガス不透過性を備える基板層１２に、自己封止性を備える基板層１１とガス不透過性を備える基板層１３とを順に積層し、基板層１３に埋込部材５１を埋設したマイクロチップ１ｃについて説明した。基板層１３は、導入部２、流路３１〜３５、ウェル４１〜４５及び脱気領域５の減圧状態を維持するため、またウェル４１〜４５内に導入されたサンプル液の液抜けを防止するために基板層１１に貼り合わされることが好ましい。ただし、本技術に係るマイクロチップは、基板層１１，１２からなる２層構造としてもよい。この場合、埋込部材５１は、基板層１１表面の脱気領域５に対応する位置に配置される。
【００４６】
３．第三実施形態に係るマイクロチップ
（１）マイクロチップ１ｄの構成
図７は、本技術の第三実施形態に係るマイクロチップの構成を説明する断面模式図である。図中符号１ｄで示すマイクロチップは、第一実施形態に係るマイクロチップ１ａと導入部２、流路３１〜３５、ウェル４１〜４５、基板層１１，１２，１３の構成において同様である。マイクロチップ１ｄでは、マイクロチップ１ａにおいて基板層１３の導入部２に対応する位置に設けたニードルＮを挿過させるための開口を、基板層１４を積層し塞ぐことによって脱気領域５として構成している。
【００４７】
マイクロチップ１ｄにおいて、脱気領域５は、導入部２、流路３１〜３５及びウェル４１〜４５とは別個独立の領域として、基板層１３と基板層１４との貼り合わせによって構成されている。基板層１４は、基板層１１と同様に自己封止性を備える材料から形成される。なお、基板層１１，１２，１３の材料は、マイクロチップ１ａにおいて同一の符号を付した基板層と同じである。
【００４８】
マイクロチップ１ｄは、導入部２、流路３１〜３５及びウェル４１〜４５を形成した基板層１２に基板層１１を貼り合わせ、さらに脱気領域５を形成した基板層１３と基板層１４を順に貼り合わせることにより構成されている。マイクロチップ１ｄでは、基板層１１と基板層１２との貼り合わせ及び基板層１３と基板層１４との貼り合わせを大気圧に対して負圧下で行うことにより、導入部２、流路３１〜３５、ウェル４１〜４５及び脱気領域５の内部が大気圧に対して負圧（好ましくは真空）となるように気密に封止されている。基板層１１，１４をＰＤＭＳ等の弾性に加えてガス透過性を有する材料により形成した場合には、大気圧（常圧）下で基板層の貼り合わせを行った後負圧（真空）下に静置することによって、導入部２等及び脱気領域５を減圧してもよい。
【００４９】
（２）マイクロチップ１ｄへのサンプル液の導入
［脱気手順］
マイクロチップ１ｄへのサンプル溶液の導入では、まず、ニードルＮを基板層１４の脱気領域５に対応する位置に穿刺し、ニードルＮの先端を基板層１４を貫通させて脱気領域５に到達させる。脱気領域５の内部は大気圧に対して負圧とされているため、ニードルＮの先端が脱気領域５に達すると、管空内の空気が陰圧によって吸引され、ニードルＮの他端に接続されたサンプル液保持容器から吸引されてくるサンプル液とともにニードルＮの先端から排出される。これにより、ニードルＮの管空内が脱気される。
【００５０】
［注入手順］
管空内を脱気した後、ニードルＮを、脱気領域５を挿通させて基板層１１に穿刺し、ニードルＮの先端が基板層１１を貫通して導入部２に到達するまで刺し込む。
【００５１】
マイクロチップ１ｄでは、導入部２、流路３１〜３５、ウェル４１〜４５の内部が大気圧に対して負圧とされているため、ニードルＮの先端が導入部２に達すると、サンプル液保持容器からサンプル液が陰圧によって吸引され、導入部２に導入される。導入部２に導入されたサンプル液は、陰圧によってさらに流路３１〜３５及びウェル４１〜４５に送液される。
【００５２】
サンプル液の導入後、ニードルＮを導入部２及び脱気領域５から引き抜く。このとき、基板層１１，１４をＰＤＭＳなどの弾性を有する材料により形成しておくことで、ニードルＮの抜去後に、基板層１１，１４の弾性変形による復元力で穿刺箇所が自然に封止されるようにできる。
【００５３】
以上のように、本実施形態に係るマイクロチップ１ｄでは、脱気手順においてニードルＮを脱気領域５に穿刺して管空内の空気を除去した後、注入手順においてニードルＮを導入部２に穿刺することで、流路３１〜３５又はウェル４１〜４５の内部に気泡を生じることなくサンプル液の導入を行うことができる。
【００５４】
４．第四実施形態に係るマイクロチップ
（１）マイクロチップ１ｅの構成
図８は、本技術の第四実施形態に係るマイクロチップの構成を説明する断面模式図である。図中符号１ｅで示すマイクロチップは、第一実施形態に係るマイクロチップ１ａと導入部２、流路３１〜３５、ウェル４１〜４５の構成において同様である。マイクロチップ１ｅは、脱気領域５を埋込部材５１の内空に構成し、貼り合わされた基板層１２と基板層１３との間に挿入するようにして埋設している点を特徴としている。
【００５５】
マイクロチップ１ｅにおいて、脱気領域５は、導入部２、流路３１〜３５及びウェル４１〜４５とは別個独立の領域として、埋込部材５１の内空に構成されている。埋込部材５１は、自己封止性を備える部材により構成され、具体的には基板層１１と同様にＰＤＭＳなどの弾性を有する材料によって形成される。なお、基板層１２，１３の材料は、マイクロチップ１ａにおいて同一の符号を付した基板層と同じである。
【００５６】
マイクロチップ１ｅは、導入部２、流路３１〜３５及びウェル４１〜４５を形成した基板層１２と基板層１３との間に埋込部材５１を挿入し、基板層の貼り合わせを行うことにより形成されている。マイクロチップ１ｅは、基板層１２と基板層１３との貼り合わせを大気圧に対して負圧下で行うことにより、導入部２、流路３１〜３５、ウェル４１〜４５の内部が大気圧に対して負圧（好ましくは真空）となるように気密に封止されている。埋込部材５１についても、同様に負圧下で部材の形成を行うことにより、内部を大気圧に対して負圧とできる。また、埋込部材５１をＰＤＭＳ等の弾性に加えてガス透過性を有する材料により形成した場合には、大気圧（常圧）下で部材の形成を行った後負圧（真空）下に静置することによって導入部２等及び埋込部材５１の内部を減圧してもよい。
【００５７】
（２）マイクロチップ１ｅへのサンプル液の導入
［脱気手順］
マイクロチップ１ｅへのサンプル溶液の導入では、まず、ニードルＮを基板層１２と基板層１３との間の導入部２に対応する位置に埋設された埋込部材５１に穿刺し、ニードルＮの先端を埋込部材５１の内空として構成された脱気領域５に到達させる。脱気領域５は大気圧に対して負圧とされているため、ニードルＮの先端が脱気領域５に達すると、管空内の空気が陰圧によって吸引され、ニードルＮの他端に接続されたサンプル液保持容器から吸引されてくるサンプル液とともにニードルＮの先端から排出される。これにより、ニードルＮの管空内が脱気される。
【００５８】
［注入手順］
管空内を脱気した後、ニードルＮを、埋込部材５１を貫通して、先端が埋込部材５１に隣接する導入部２に到達するまで刺し込む。
【００５９】
マイクロチップ１ｅでは、導入部２、流路３１〜３５、ウェル４１〜４５の内部が大気圧に対して負圧とされているため、ニードルＮの先端が導入部２内空に達すると、サンプル液保持容器からサンプル液が陰圧によって吸引され、導入部２に導入される。導入部２に導入されたサンプル液は、陰圧によってさらに流路３１〜３５及びウェル４１〜４５に送液される。
【００６０】
サンプル液の導入後、ニードルＮを導入部２及び埋込部材５１から引き抜く。このとき、埋込部材５１をＰＤＭＳなどの弾性を有する材料により形成しておくことで、ニードルＮの抜去後に、埋込部材５１の弾性変形による復元力で穿刺箇所が自然に封止されるようにできる。
【００６１】
以上のように、本実施形態に係るマイクロチップ１ｅでは、脱気手順においてニードルＮを脱気領域５に穿刺して管空内の空気を除去した後、注入手順においてニードルＮを導入部２に穿刺することで、流路３１〜３５又はウェル４１〜４５の内部に気泡を生じることなくサンプル液の導入を行うことができる。
【００６２】
以上の各実施形態において、流路、ウェル及び脱気領域の形状、配設位置及び数は任意とでき、特に限定されないものとする。また、各実施形態においては、マイクロチップに形成され、サンプル溶液に含まれる物質あるいは該物質の反応生成物の分析場となる領域をウェルとして説明したが、この領域は流路などの任意形状とされたものであってよいものとする。
【００６３】
本技術に係るマイクロチップは以下のような構成をとることもできる。
（１）内部が大気圧に対して負圧とされ、液体が穿刺注入される導入領域と、内部が大気圧に対して負圧とされ、前記液体を前記導入領域内に穿刺注入するための中空管を穿刺して管空内を脱気するための脱気領域と、が独立して設けられているマイクロチップ。
（２）前記導入領域と前記脱気領域は、脱気領域に穿刺された前記中空管が、脱気領域を挿通してさらに導入領域に穿刺されるように配置されている上記（１）記載のマイクロチップ。
（３）前記脱気領域は、弾性変形による自己封止性を備える基板層を含んで構成された上記（１）又は（２）記載のマイクロチップ。
（４）前記脱気領域は、前記導入領域を構成する弾性変形による自己封止性を備える基板層と、該基板層に積層されたガス不透過性を備える基板層と、を含んで構成された上記（１）〜（３）のいずれかに記載のマイクロチップ。
（５）前記脱気領域は、弾性変形による自己封止性を備える部材により構成され、
該部材が、マイクロチップを形成する基板層表面に配置され、あるいは基板層に埋設されている上記（１）又は（２）記載のマイクロチップ。
（６）前記部材は、前記導入領域を構成する弾性変形による自己封止性を備えた基板層に積層されたガス不透過性を備える基板層に埋設されている上記（５）記載のマイクロチップ。
（７）内部が大気圧に対して負圧とされた領域が、液体が穿刺注入される導入領域とは別個独立に少なくとも一領域設けられているマイクロチップ。
【産業上の利用可能性】
【００６４】
本技術に係るマイクロチップによれば、気泡を生じることなく短時間で容易に試料溶液をウェルや流路の内部に導入でき、高い分析精度及び分析効率を得ることができる。従って、本技術に係るマイクロチップは、マイクロチップの流路内で複数の物質を電気泳動により分離し、分離された各物質を光学的に検出する電気泳動装置や、マイクロチップのウェル内で複数の物質間の反応を進行させ、生成する物質を光学的に検出する反応装置（例えば、核酸増幅装置）などに好適に用いられ得る。
【符号の説明】
【００６５】
１ａ，１ｂ，１ｃ，１ｄ，１ｅ：マイクロチップ、１１，１２，１３，１４：基板層、２：導入部、３１，３２，３３，３４，３５：流路、４１，４２，４３，４４，４５：ウェル、５：脱気領域、５１：埋込部材、Ｎ：ニードル
【図１】
2013130396.tif 000003
【図２】
2013130396.tif 000004
【図３】
2013130396.tif 000005
【図４】
2013130396.tif 000006
【図５】
2013130396.tif 000007
【図６】
2013130396.tif 000008
【図７】
2013130396.tif 000009
【図８】
2013130396.tif 000010